(57)【要約】【課題】電子ペーパーを利用した大型表示板において、外部照明設置の手間を省きながら、暗所でも視認容易な反射型表示装置を提供すると共に、人目を引くために画面の一部を着色する反射型表示装置を提供することを目的とする。【解決手段】本発明は、反射型の表示体を用いる大型情報表示板において、少なくとも、光源と、光源からの光の照射領域を限定する傘とを備えたことを特徴とする大型情報表示板であり、設置環境が暗くとも、反射型である電子ペーパーの表示を有効に視認することが出来る。【選択図】  図８
2007271651.tif 000002
【特許請求の範囲】
【請求項１】
反射型の表示装置を用いる大型情報表示板において、
表示部を照射する光源と、光源からの光の照射領域を限定する傘と
を備えたことを特徴とする大型情報表示板。
【請求項２】
請求項１に記載の大型情報表示板であって、
表示部が定形の表示装置を複数配置することで形成されること
を特徴とする大型情報表示板。
【請求項３】
請求項１から２のいずれかに記載の大型情報表示板であって、
光源が明滅すること
を特徴とする大型情報表示板。
【請求項４】
請求項１から３のいずれかに記載の大型情報表示板であって、
光源が発光ダイオードであること
を特徴とする大型情報表示板。
【請求項５】
請求項４に記載の大型情報表示板であって、
光源が有色発光ダイオードであること
を特徴とする大型情報表示板。
【請求項６】
請求項１から５のいずれかに記載の大型情報表示板であって、
さらに、表示部を着色表示するための有色光源と、
着色表示するための有色光源からの光の照射領域を限定する有色光源用傘と
を備えたことを特徴とする大型情報表示板。
【発明の詳細な説明】
【技術分野】
【０００１】
本発明は、大型情報表示板に関するものであり、特に電子ペーパーから形成される大型情報表示板に関するものである。
【背景技術】
【０００２】
公衆に向けて天気予報、ニュース、案内、広告などを伝えるために、大型情報表示板が使用されている。一般にＬＥＤ（Ｌｉｇｈｔ  Ｅｍｉｔｔｉｎｇ  Ｄｉｏｄｅ）、ＰＤＰ（Ｐｌａｓｍａ  Ｄｉｓｐｌａｙ  Ｐａｎｅｌ）、ＬＣＤ（Ｌｉｑｕｉｄ  Ｃｒｙｓｔａｌ  Ｄｉｓｐｌａｙ）が、この用途に採用されている。これらのうち、ＬＥＤ、ＰＤＰはそれ自体が発光して表示する技術である。ＬＣＤは、液晶自身は発光しないが、バックライトと呼ばれる光源からの光を透過することで表示している。ムラなく面内均一な透過光を得るために、コンピュータ用モニタやテレビ用のＬＣＤでは、拡散板などの部材や形状を工夫して、バックライトを形成している。
【０００３】
ＬＥＤ、ＰＤＰ、ＬＣＤで大型表示を行った場合、表示する以上は必ず発光を続けなければならず、文字などの静止情報であっても電力を消費しつづけなければならない。特に大型のＬＥＤは大きな電流を必要とするので、消費電力は３つの中で最も大きくなる。また、ＰＤＰやＬＣＤでは端部に必須となる封止部や駆動ドライバＩＣ取り付け部が表示の出来ない枠部分となり、より大きな表示面を形成しようとディスプレイを並べた場合に邪魔になる。
【０００４】
ＬＥＤは赤、青、緑などに発光する発光ダイオードを使うことで、ＰＤＰはプラズマから発せられる紫外線を受けて発光する蛍光体の種類で、ＬＣＤはカラーフィルタを使用することで、カラー表示を可能としている。
【０００５】
ＬＣＤでは、バックライトを工夫することで、通常の表示とは異なる色を表示する技術が公開されている。例えば、カラーフィルタを備えないＬＣＤにおいて、多色表示を実現するために考案されたもので、通常のバックライトの他に発光ダイオードを有し、この部品の光によりＬＣＤの一部分の色を変えるものがある。これは透過型ＬＣＤに対してのみ有効な手段である。（特許文献１参照）
【０００６】
ＬＣＤには、透過でなく反射で表示するモードもあるが、そのままでは十分な視認性を得る反射率が取れないために、観測者側から照明をあてたり、特定の照射角、観察角を設定し、それにあわせたりする調整が必要になる。ＬＣＤ特有の視野角依存性もあり、あらゆる角度で視認性を確保する照明調整は難しい。反射型ＬＣＤでは、外付けの照明を用いる他に、光源と導光板からなるフロントライトと呼ばれるものを使用する場合がある。フロントライトは、携帯電話やＰＤＡ（Ｐｅｒｓｏｎａｌ  Ｄｉｇｉｔａｌ  Ａｓｓｉｓｔａｎｃｅ）、携帯ゲーム機に使われている。
【０００７】
バックライトは、ＬＣＤの背面（非観察者側）に設けられるので、光量を稼ぐために面状に光源を並べる手段が取れるけれども、フロントライトはＬＣＤの端部に光源を並べるしかない。このため、画面が大型化した場合、距離の問題から画面の隅々まで光を行き渡らせることが困難となる。コンピュータ用モニタやテレビに、フロントライトが採用されないのは、この理由による。
【０００８】
フロントライトを使わず、反射型ＬＣＤで構成される表示板技術としては、反射型カラーＬＣＤを複数並列配置し、その全体を外部照明で照らすものが提案されている。外部照明により、大型化しても十分な照射が可能と考えられるが、既に述べたように外部照明設置の手間が発生する。（特許文献２参照）
【０００９】
ＬＥＤ、ＰＤＰ、ＬＣＤいずれも発光による表示を行うものだが、近年電子ペーパーと呼ばれる、純粋に反射でのみ表示を行う技術が現れている。電子ペーパーには、様々な表示技術が含まれるが、米国Ｅ  Ｉｎｋ社が開発したマイクロカプセル型電気泳動方式が代表例である。（特許文献３参照）
【００１０】
図１にマイクロカプセルの模式図を示す。マイクロカプセル１は正負に帯電した黒色顔料粒子２および白色顔料粒子３と透明分散媒４を封入している。
【００１１】
図２にマイクロカプセル型電気泳動方式の電子ペーパー表示媒体１１の概略図を示す。電子ペーパー表示媒体１１は、透明導電膜５を有する透明フィルム６にマイクロカプセル１を単層で塗布した前面板９と、画素電極７を有するプリント基板８である背面板１０とを貼り合わせたものであり、電圧の印加に応じてマイクロカプセル１中の黒色顔料粒子２および白色顔料粒子３を移動させて表示を行うものである。すでに電子書籍リーダーで実用化されており、今後の発展が期待されている技術である。
【００１２】
電子ペーパーに含まれる技術は他にもいくつかあるが、いずれも、（１）一旦表示したイメージを電力消費なしに表示保持する、（２）それ自身は発光せず反射で表示する、という特徴を有する。
【００１３】
２００５年愛知万博で電子ペーパーを利用した小型の表示装置を多数並べて形成した大型表示板が展示された。これは、既に述べたように一旦表示したイメージを保持するので電力消費は書き換え時のみで、各表示板の枠も１ｍｍ程度と非常に細くでき、ＬＥＤ、ＰＤＰ、ＬＣＤが抱える消費電力や枠の存在という課題を解決するものであった。また、発光しない全くの反射型表示であるため、すぐ傍に人々がいても圧迫感を与えない利点もあった。しかしながら、当該会場は暗かったので、大型表示板とは別に外部照明を設置しなければならなかった。また、電子ペーパー自体はマイクロカプセルに封じられた顔料の白または黒のみのモノクロ表示しかできず、例えば人目を引くために一部の文字を強調するために着色表示することができなかった。
【００１４】
電子ペーパーのカラー化は、ＬＣＤ同様にカラーフィルタによる技術が発表されている。しかしながら、カラーフィルタを用いると、モノクロに比較して画面全体の明るさが低下するおそれがあった。また、１画素をＲＧＢの副画素の並列配置で構成するために、解像度をモノクロの３倍以上に上げる必要があり、表示板の構造を大きく変更しなければならなかった。
【特許文献１】特開平８−６２６００号公報
【特許文献２】特表２００３−５３３７５１号公報
【特許文献３】特表２００２−５２６８１２号公報
【発明の開示】
【発明が解決しようとする課題】
【００１５】
本発明は、以上の問題を鑑みて考案されたものであり、電子ペーパーを利用した大型情報表示板において、外部照明設置の手間を省きながら、暗所でも視認容易な反射型表示装置を提供すると共に、人目を引くために画面の一部を着色する大型情報表示板を提供するものである。
【課題を解決するための手段】
【００１６】
請求項１に記載の本発明は、反射型の表示装置を用いる大型情報表示板において、
表示部を照射する光源と、光源からの光の照射領域を限定する傘と
を備えたことを特徴とする大型情報表示板である。
【００１７】
請求項２に記載の本発明は、請求項１に記載の大型情報表示板であって、表示部が定形の表示装置を複数配置することで形成されることを特徴とする大型情報表示板である。
【００１８】
請求項３に記載の本発明は、請求項１から２のいずれかに記載の大型情報表示板であって、光源が明滅することを特徴とする大型情報表示板である。
【００１９】
請求項４に記載の本発明は、請求項１から３のいずれかに記載の大型情報表示板であって、光源が発光ダイオードであることを特徴とする大型情報表示板である。
【００２０】
請求項５に記載の本発明は、請求項４に記載の大型情報表示板であって、光源が有色発光ダイオードであることを特徴とする大型情報表示板である。
【００２１】
請求項６に記載の本発明は、請求項１から５のいずれかに記載の大型情報表示板であって、さらに、表示部を着色表示するための有色光源と、着色表示するための有色光源からの光の照射領域を限定する有色光源用傘とを備えたことを特徴とする大型情報表示板である。
【発明の効果】
【００２２】
本発明により、当該発光ダイオードは、表示パーツに組み込まれるため、設置時には外部照明の設置および調整は不要となる。また、例え設置環境が暗くとも、反射型である電子ペーパーの表示を有効に視認できる上、これまでモノクロ表示の表示パーツの構成を大きく変えることなく部分的なカラー表示が可能となる。さらに、発光ダイオードを点滅制御することで、表示の一部が点滅しているような表現が可能となる。
【発明を実施するための最良の形態】
【００２３】
本発明の大型情報表示板は反射型の表示装置からなる。ここで、反射型の表示装置とは電子ペーパーである。
【００２４】
以下、本発明の大型情報表示板において各部位を次のように呼称する。
【００２５】
表示パーツとは、前面板と背面板からなる電子ペーパー表示媒体に、電子ペーパー駆動回路と、貫通穴とを設けた部位であり、
表示装置とは、表示パーツに、光源と、光源からの光の照射領域を限定する傘とを設けた部位であり、
表示部とは、表示装置を複数並べることにより形成される、本発明の大型情報表示板の情報表示部位である。
【００２６】
本発明の大型情報表示板の一例を図３〜図９を用いて具体的に説明する。
【００２７】
本発明の大型情報表示板２１は、表示部２３と、電子ペーパー用外部制御部２４と、照明用外部制御部２５と、から構成され、
前記表示部２３は複数の定形の表示装置２２からなり、
前期表示装置２２は、情報の表記を行う表示パーツ１２と、
表示パーツ１２を照らす光源と、
表示パーツ１２上に設けられ、光源を固定し、光源からの光の照射領域を限定する白色光源用傘１８と、を備えている。
【００２８】
以下、図３及び図４を用いて表示パーツ１２について説明を行う。なお、図３は観察者（表側）方向からみた表示パーツの概略図である。また、図４は非観察者側（裏側）方向からみた表示パーツの概略図である。
【００２９】
表示パーツ１２は、前面板９と背面板１０からなる電子ペーパー表示媒体１１に、電子ペーパー駆動回路１３と、貫通穴１６とを設けてなる。
【００３０】
前面板９は、透明導電膜５を有する透明フィルム６に、マイクロカプセル１の単層を形成したものである（図２参照）。また、前面板９は、ドリルやレーザーなどによる機械的な穴あけ加工を容易に行うことが求められる。
【００３１】
背面板１０は、プリント基板８に画素電極７を設けたものである（図２参照）。また、背面板１０は、ドリルやレーザーなどによる機械的な穴あけ加工を容易に行うことが求められる。
【００３２】
また、背面板１０の非観察者側（裏側）には電子ペーパー駆動回路１３を設ける。電子ペーパー駆動回路１３は、マイクロカプセル１内の黒色顔料粒子２および白色顔料粒子３を駆動制御させるための電気回路である。また、背面板１０の非観察者側（裏側）にはコネクタ１４を設ける。コネクタ１４は、電子ペーパー用外部制御装置２４（図９参照）と接続するための接続部である。また、背面板１０の非観察者側（裏側）には取り付け用部品１５を設ける。取り付け用部品１５は、表示装置２２を壁面や筐体に取り付け固定するための部品である。
【００３３】
表示パーツ１２は前面板９と背面板１０とを貼り合わせ、貫通穴１６を設け、電子ペーパー駆動回路１３を取り付けることにより製作する。このとき、前面板９は、直接背面板１０の画素電極７面に貼り合わせる。表示パーツ１２の非表示部である枠部分は、画素電極７のない部分であるが、数ｍ離れて見るには目立たないほど十分に狭く１ｍｍ程度であることが望ましい。また、透明伝導膜接続部２６とは、透明導電膜５と駆動回路１３の電気的接続を確保する部分である。
【００３４】
また、表示パーツ１２には光源からの光の照射領域を限定する白色光源用傘１８を固定するために、貫通穴１６を設ける。このとき、貫通穴１６の大きさは小さいほどよいが、白色光源用傘１８を支える強度を確保できる程度の大きさが必要である。具体的には３ｍｍφ〜１０ｍｍφが適当である。穴あけ工程は、前面板９、背面板１０個別に行ってもよく、両者を貼り合せて一度に行ってもよい。
【００３５】
以下、図５〜図８を用いながら、表示パーツ１２を照らす光源と、表示パーツ１２上に設けられ、光源を固定し、光源からの光の照射領域を限定する白色光源用傘１８の説明を行う。なお、図５は白色ダイオードを備えた白色光源用傘の一例を示す概略図である。また、図６は表示パーツと白色ダイオードを備えた白色光源用傘からなる表示装置の概略図である。また、図７は有色発光ダイオードを備えた有色光源用傘の一例を示す概略図である。また、図８は表示パーツと有色発光ダイオードを備えた有色光源用傘からなる表示装置の概略図である。
【００３６】
光源を点滅制御することで、明滅させても良い。このとき、表示の一部が点滅しているような表現が可能となる。このため、表示パーツ１２に示された情報を強調することが出来る。
【００３７】
また、光源としては、発光ダイオードを一つまたは複数を組み合わせて用いることができる。
【００３８】
発光ダイオードを使用する点では、ＬＥＤの大型表示板と同じだが、表示面積に対して使用する発光ダイオードの個数が、本発明ではＬＥＤの場合の千分の一程度にすることが出来る。また、ＬＥＤの大型表示板は、厳密には各発光ダイオードを高速で点滅発光させており、その瞬間輝度を稼ぐために大電流を必要とするが、本発明の発光ダイオードはほぼ常時点灯であり、電流値を抑えることが可能である。
【００３９】
また、発光ダイオードとして有色発光ダイオードを用いてもよい。このとき、有色光が表示パネルを照らすこととなり、人目を引くために画面の一部を着色することが可能となる。
【００４０】
図５に光源に白色ダイオード１７を用いた場合の白色光源用傘の一例を示す。光源に白色発光ダイオード１７を使用することで、一般的な照明としてもちいることが出来る。
【００４１】
白色発光ダイオード１７からの光の照射領域を限定する白色光源用傘１８は、支持パイプ１９を介して表示パネルと接続される。
【００４２】
また、支持パイプ１９の内部には光源である白色発光ダイオード１７と、白色発光ダイオード１７の制御を行う発光ダイオード制御部とを繋ぐリード線２７を通す。発光ダイオードの制御部は、表示パーツの非観察者側（裏側）にある電子ペーパー駆動回路１３と共に背面板１０に組み込んでもよいし、別途回路として背面板１０に組み込んでもよい。
【００４３】
図６に表示パーツ１２と白色ダイオード１７を備えた白色光源用傘からなる表示装置２２を示す。表示パーツ１２の貫通穴１６に、支持パイプ１７を設け、支持パイプ１７の観察者側に白色発光ダイオード１７および白色光源用傘１８を設け、支持パイプ１７の非観察者側にリード線２７を通す。
【００４４】
このとき、白色光源用傘１８は、観察者側から表示パーツ１２を見た時に、直接白色発光ダイオード１７が見えないようにする役目と、表示パーツ１２のみに照射領域を限定する役目を有する。このため、白色光源用傘１８の形状は、表示パーツ１２辺端と白色発光ダイオード１７を結んでなる角錐形状であることが好ましい。
【００４５】
図７に光源に有色発光ダイオード２０を用いた場合の有色光源用傘の一例を示す。光源に、有色の発光ダイオード２０を使用することで、部分的に表示に着色を施すことが出来る。
【００４６】
また、有色発光ダイオード２０は、着色状態と無色状態を得るために、有色と白色の組み合わせか、互いに補色となる有色の組み合わせで複数設置することが望ましい。
【００４７】
有色発光ダイオード２０からの光の照射領域を限定する白色光源用傘１８は、支持パイプ１９を介して表示パネルと接続される。
【００４８】
また、支持パイプ１９の内部には光源である有色発光ダイオード２０と、有色発光ダイオード２０の制御を行う発光ダイオード制御部とを繋ぐリード線２７を通す。発光ダイオードの制御部は、表示パーツの非観察者側（裏側）にある電子ペーパー駆動回路１３と共に背面板１０に組み込んでもよいし、別途回路として背面板１０に組み込んでもよい。
【００４９】
図８に表示パーツ１２と白色発光ダイオード１７と有色発光ダイオード２０と白色光源用傘１８と有色光源用傘２８を備えてなる表示装置２２を示す。このとき、白色光源用傘１８の形状は、表示パーツ１２着色を欲する領域のみに照射するため、角錐形状の形であることが望ましい。また、白色光源用傘１８の内側には、任意領域を着色表示するための有色光源用傘２８が収められる。白色光源用傘１８は、表示パーツ２２全体を照らす役割を持つが、有色光源用傘２８は、表示パーツ２２の一部の領域を照らす役割を持つ。白色光源用傘１８、有色光源用傘２８は、それぞれ内側に白色発光ダイオード１７、有色発光ダイオード２０を有する。
【００５０】
図７に示すように、有色光源用傘２８は白色光源用傘１８に内包される。また、小さな有色光源用傘２８を複数束ねるようにして白色光源用傘１８を形成してもよい。いずれにしても白色光源用傘１８、有色光源用傘２８は共に、照射したい領域の辺端と発光ダイオードを結んでなる角錐形状であることが好ましい。
【００５１】
以下、図９を用いて、図６および図８で示された表示装置２２を複数並べることにより形成された大型情報表示板２１について説明を行う。なお、図９は本発明の大型情報表示板の概略図である。
【００５２】
本発明の大型情報表示板２１の表示部２３は、表示パーツ１２と光源と白色光源用傘１８とを備えた定形の表示装置２２を複数並べることにより形成される。これにより、表示部２３の大きさを表示装置２２の数を変更することで柔軟に変更することが出来る。また、大型情報掲示板２１の設置の際に部材を分解して運べることから、運搬性を向上することができる。また、大型情報表示板の一部が損傷した際は、損傷箇所の表示装置２２だけを交換することで保守点検することが出来る。
【００５３】
また、表示部２３には、表示装置２２における表示パーツ１２の表示内容を外部から変更するための電子ペーパー用外部制御部２４と、発光ダイオードの光の制御を行うための照明用外部制御部２５とを接続する。
【００５４】
このとき、表示パーツ１２の表示切り替え、および内容に応じて、発光ダイオードは制御される。単なる照明としてならば、マニュアル操作で発光、時刻による自動発光、センサーによる自動発光を実現することは、制御的に容易なことである。内容に応じて、例えばある領域は赤く強調、別の表示では緑という場合、表示パーツ１２の表示に合わせて、発光ダイオードを個別制御する。
【００５５】
本発明により、当該発光ダイオードは、表示装置に組み込まれるため、設置時には外部照明の設置および調整は不要となる。また、例え設置環境が暗くとも、反射型である電子ペーパーの表示を有効に視認可能になる上、これまでモノクロ表示の表示パーツの構成を大きく変えることなく部分的なカラー表示が可能となる。さらに、発光ダイオードを点滅制御することで、表示の一部が点滅しているような表現が可能となる。
【実施例】
【００５６】
＜実施例１＞
前面板は、米国Ｅ  Ｉｎｋ社が提供するＦＰＬ（Ｆｒｏｎｔ  Ｐｌａｎｅ  Ｌａｍｉｎａｔｅ）を使用した。
【００５７】
背面板には、約４ｍｍ×４ｍｍの画素電極パッドで片面を覆っている多層プリント基板を用いた。この多層プリント基板の片面には、駆動用ドライバＩＣとコネクタを搭載した。多層プリント基板の中央は、４画素分の画素電極パッドが省いてあり、その中心に６ｍｍφの貫通穴をドリルで通した。該貫通穴部分に基板内配線は設けていない。また、貼り合わせたとき、ＦＰＬの貫通穴に対応する部分にも、レーザー加工で穴を設けた。
【００５８】
ＦＰＬを多層プリント基板の画素電極パッド面に貼り付けた。導電性ペーストで、ＦＰＬの透明導電膜と背面板の電極を電気的に接続し、表示パーツを得た。
【００５９】
長さ５５ｍｍ、直径５．５ｍｍφの樹脂製パイプにリード線を通し、一端に白色発光ダイオードを接続した。他端には、リード線が出ている。この白色発光ダイオードに、角錐形状のアルミニウム製傘を白色光源用傘として、かぶせて固定した。この部品を貫通穴に取り付け、白色発光ダイオードがＦＰＬ面から５０ｍｍ離れるように固定した。アルミニウム製傘の角錐形状は、この時に白色発光ダイオードと表示パーツ辺端を結んでなる角錐と重なるように設計した。
【００６０】
表示パーツのコネクタと外部制御装置を接続した。白色発光ダイオードは、別の外部制御装置に接続した。白色発光ダイオードを点灯させ、暗い部屋で電子ペーパーに表示させたところ、十分に視認できることを確認した。この時、白色発光ダイオードで照らされているのは、表示パーツのみであった。明るい部屋では、点灯させずとも十分な視認性が得られたが、点灯させればより明るい表示を得ることができた。
【００６１】
＜実施例２＞
実施例１と同様に表示パーツを用意した。
【００６２】
長さ５５ｍｍ、直径５．５ｍｍφの樹脂製パイプにリード線を通し、一端に白色発光ダイオード、赤色発光ダイオード、青色発光ダイオード、緑色発光ダイオードを接続した。他端には、それぞれのリード線が出ている。白色発光ダイオードに、角錐形状のアルミニウム製傘をかぶせて固定した。赤色発光ダイオード、青色発光ダイオード、緑色発光ダイオードはまとめて、先の白色光源用傘より一回り小さい角錐形状のアルミニウム製傘を有色光源用傘としてかぶせて、先のアルミニウム製傘の内側に納めて固定した。この部品を貫通穴に取り付け、発光ダイオードがＦＰＬ面から５０ｍｍ離れるように固定した。アルミニウム製傘の角錐形状は、この時に白色発光ダイオードと表示パーツ辺端を結んでなる角錐と重なるように設計した。
【００６３】
表示パーツのコネクタと外部制御装置を接続した。各色発光ダイオードは、別の外部制御装置に接続した。すべての発光ダイオードを点灯させ、暗い部屋で電子ペーパーに表示させたところ、十分に視認できることを確認した。この時、発光ダイオードで照らされているのは、表示パーツのみであった。青色発光ダイオード、緑色発光ダイオードを消したところ、表示パーツの一部が赤い表示となった。同様にして、青い表示、緑の表示、二色点灯で紫の表示、黄色の表示、水色の表示が得られた。また、発光ダイオードを点滅させることで、表示そのものが点滅しているような表現が得られた。明るい部屋であっても、同様の効果が確認された。
【図面の簡単な説明】
【００６４】
【図１】マイクロカプセルの模式図を示したものである。
【図２】マイクロカプセル型電気泳動方式の表示体の概略図である。
【図３】観察者（表側）方向からみた表示パーツの概略図である。
【図４】非観察者側（裏側）方向からみた表示パーツの概略図である。
【図５】白色ダイオードを備えた傘の一例を示す概略図である。
【図６】表示パーツと白色ダイオードを備えた傘からなる表示装置の概略図である。
【図７】有色発光ダイオードを備えた傘の一例を示す概略図である。
【図８】表示パーツと有色発光ダイオードを備えた傘からなる表示装置の概略図である。
【図９】本発明の大型情報表示板の概略図である。
【符号の説明】
【００６５】
１…マイクロカプセル
２…黒色顔料粒子
３…白色顔料粒子
４…透明分散媒
５…透明導電膜
６…透明フィルム
７…画素電極
８…プリント基板
９…前面板
１０…背面板
１１…電子ペーパー表示媒体
１２…表示パーツ
１３…電子ペーパー駆動回路
１４…コネクタ
１５…取り付け用部品
１６…貫通穴
１７…白色発光ダイオード
１８…白色光源用傘
１９…支持パイプ
２０…有色発光ダイオード
２１…大型情報表示板
２２…表示装置
２３…表示部
２４…電子ペーパー用外部制御部
２５…照明用外部制御部
２６…透明伝導膜接続部
２７…リード線
２８…有色光源用傘
【図１】
2007271651.tif 000003
【図２】
2007271651.tif 000004
【図３】
2007271651.tif 000005
【図４】
2007271651.tif 000006
【図５】
2007271651.tif 000007
【図６】
2007271651.tif 000008
【図７】
2007271651.tif 000009
【図８】
2007271651.tif 000010
【図９】
2007271651.tif 000011